(57)【特許請求の範囲】
【請求項１】
建物の室内と外部との間に、前記建物の外壁の内壁面に面して設けられた中間領域に、外気温と同じ温度の空気を供給可能な空気供給手段と、
前記中間領域から外出する利用者を検出可能な利用者検出手段と、
この利用者検出手段によって利用者が検出された際に、外気温と同じ温度の空気を前記中間領域に供給するために前記空気供給手段を作動させる制御手段とを備えたことを特徴とする中間領域空調システム。 
【請求項２】
前記制御手段は、室内温度と外気温との温度差が所定値以上になった際に、前記空気供給手段を作動させることを特徴とする請求項１に記載の中間領域空調システム。 
【請求項３】
前記空気供給手段は、外気温と同じ温度の空気を利用者に向けて噴射することを特徴とする請求項１または２に記載の中間領域空調システム。 
【請求項４】
前記中間領域に、利用者の身体情報を取得する情報取得手段が設けられており、
前記制御手段は、前記情報取得手段によって取得された前記利用者の身体情報に基づいて、前記空気供給手段による空気の噴射箇所および噴射量を調整可能であることを特徴とする請求項３に記載の中間領域空調システム。 
【請求項５】
前記空気供給手段は外気を直接中間領域に供給することを特徴とする請求項１〜４のいずれか一項に記載の中間領域空調システム。
【請求項６】
前記空気供給手段は、外気と同じ気温の空気を準備して中間領域に供給することを特徴とする請求項１〜４のいずれか一項に記載の中間領域空調システム。 
【請求項７】
前記中間領域に、外気温を表示する情報表示機が設けられており、
この情報表示機に、前記外気温に基づいて、外出時の着衣量をアドバイスする機能が設けられていることを特徴とする請求項１〜６のいずれか一項に記載の中間領域空調システム。
【発明の詳細な説明】
【技術分野】
【０００１】
本発明は、建物の室内と外部との間に、建物の外壁の内壁面に面して設けられた中間領域の空調システムに関する。
【背景技術】
【０００２】
最近の住宅は外壁部の高気密・高断熱化が進んでおり、そのような高断熱化の利点を生かして、玄関を含めて建物全体を一体一連に空調することが行われている。
このように、建物全体を玄関まで一体に空調すると、玄関と外部の温度差が大きく、出入りの際のヒートショックで健康を害する恐れがあるという問題を生ずる。
そこで、このような高気密・高断熱構造の住宅において、出入りの際の内外の温度差によるヒートショックを和らげることができる発明の一例として、特許文献１に記載のものが知られている。
この発明は、住宅の玄関ドアの内側に扉付きの間仕切り壁で仕切られた風除室を設けたことを特徴とするものである。
この発明では、風除室が間仕切り壁によって仕切られているので、居室側の空調が充分行き渡らず、玄関の外側の外気温と室内の温度の中間の温度となっている。このため、外部から空調された室内へ直接入る場合や、逆に空調された室内から直接外部へ出る場合に比較して、一旦、室内若しくは室外との温度差の小さい風除室を通るので、暑さの厳しい真夏や寒さの厳しい真冬でも、ヒートショックを感じることなく、出入りすることができる。
【０００３】
また、その日の屋外の環境状態に基づいて外出する利用者（住人）に服飾アイテムを提示する玄関システムの一例として特許文献２に記載のものが知られている。
この玄関システムは、玄関に設けられた利用者の外出を検出する外出情報取得手段と、前記玄関に設けられ、利用者の身体情報を取得する身体情報取得手段と、屋外環境情報を取得する外環境取得手段と、前記外環境取得手段が取得する屋外環境情報と前記身体情報取得手段が取得した前記身体情報とから当該利用者に服飾アイテム情報を提示する制御手段とを備えたことを特徴としている。
【先行技術文献】
【特許文献】
【０００４】
【特許文献１】特開平１０−２２００３７号公報
【特許文献２】特開２００６−３０１９７３号公報
【発明の概要】
【発明が解決しようとする課題】
【０００５】
しかしながら前記特許文献１に記載の発明では、住宅の玄関ドアの内側に間仕切り壁で仕切られた風除室（中間領域）を設けているだけであるので、例えば、冬季等の場合、風除室（中間領域）の温度と外気温との温度差が大きくなって、ヒートショックを和らげる効果が低下するという問題がある。
また、特許文献２に記載の発明では、利用者は玄関で直接外気に触れるわけではないので、実際に外の気温を感じることができず、臨場感が薄いという問題がある。
【０００６】
本発明は上記事情に鑑みてなされたもので、外気と中間領域との温度差を小さくして、ヒートショックを効果的に和らげることができるとともに、外の気温を感じることができる中間領域空調システム提供することを課題としている。
【課題を解決するための手段】
【０００７】
上記課題を解決するために、請求項１に記載の発明は、例えば図１〜図４に示すように、建物の室内と外部との間に、前記建物の外壁１１の内壁面に面して設けられた中間領域１０に、外気温と同じ温度の空気を供給可能な空気供給手段１と、
前記中間領域１０から外出する利用者Ｍを検出可能な利用者検出手段２と、
この利用者検出手段２によって利用者Ｍが検出された際に、外気温と同じ温度の空気を前記中間領域１０に供給するために前記空気供給手段１を作動させる制御手段３とを備えたことを特徴とする。
【０００８】
請求項１に記載の発明によれば、利用者検出手段２が中間領域１０から外出する利用者Ｍを検出した際に、制御手段３が空気供給手段１を作動させるので、この空気供給手段１によって外気温と同じ温度の空気が前記中間領域１０に供給される。このため、中間領域１０の温度が外気温に近付いていくので、外気と中間領域１０との温度差が小さくなって、ヒートショックを効果的に和らげることができる。
また、空気供給手段１は外気温と同じ温度の空気を中間領域１０に供給するので、利用者Ｍは外の気温を感じることができ、外出の際の心理的準備（心構え）を行える。
さらに、利用者Ｍを検出した際に、制御手段３が空気供給手段１を作動させるので、空気供給手段１は必要時にだけ稼働することになり、空調負担を減らすことができる。
なお、空気供給手段１によって供給する空気は、外気と同じ温度でかつ湿度も同じ空気であってもよい。この場合、中間領域１０の湿度が外気の湿度に近付いていくので、外気と中間領域１０との湿度差が小さくなって、臨場感を増すことができる。
【０００９】
請求項２に記載の発明は、請求項１に記載の中間領域空調システムにおいて、
前記制御手段３は、室内温度と外気温との温度差が所定値以上になった際に、前記空気供給手段１を作動させることを特徴とする。
【００１０】
請求項２に記載の発明によれば、室内温度と外気温との温度差が所定値以上になった際に、制御手段３が空気供給手段１を作動させるので、冬季等のように、室内温度と外気温との温度差が大きくなって、所定値以上になった場合に、空気供給手段１が作動する一方、室内温度と外気温との温度差が小さい場合、空気供給手段１は作動しない。したがって、空気供給手段１を効率的に作動させることができる。
【００１１】
請求項３に記載の発明は、請求項１または２に記載の中間領域空調システムにおいて、
前記空気供給手段１は、外気温と同じ温度の空気を利用者Ｍに向けて噴射することを特徴とする。
【００１２】
請求項３に記載の発明によれば、空気供給手段１が外気温と同じ温度の空気を利用者Ｍに向けて噴射するので、利用者Ｍは外気温を直接感じることができる。したがって、利用者Ｍは中間領域１０で、外気温に応じて服装の調整を行えるので、ヒートショックの予防を行える。
【００１３】
請求項４に記載の発明は、請求項３に記載の中間領域空調システムにおいて、
前記中間領域１０に、利用者Ｍの身体情報を取得する情報取得手段７が設けられており、
前記制御手段３は、前記情報取得手段７によって取得された前記利用者Ｍの身体情報に基づいて、前記空気供給手段１による空気の噴射箇所および噴射量を調整可能であることを特徴とする。
【００１４】
請求項４に記載の発明によれば、制御手段３は、情報取得手段７によって取得された利用者Ｍの身体情報に基づいて、空気供給手段１による空気の噴射箇所および噴射量を調整可能であるので、利用者Ｍの年齢、身長、性別等に応じて、利用者Ｍに最適位置から最適量の空気を噴射することができる。したがって、利用者Ｍは外気温を適切に直接感じることができるので、より確実にヒートショックの予防を行える。
【００１５】
請求項５に記載の発明は、請求項１〜４のいずれか一項に記載の中間領域空調システムにおいて、
前記空気供給手段１は外気を直接前記中間領域１０に供給することを特徴とする。
【００１６】
請求項５に記載の発明によれば、空気供給手段１が外気を直接中間領域１０に供給するので、簡単に外気温と同じ温度の空気を中間領域１０に供給できる。
【００１７】
請求項６に記載の発明は、請求項１〜４のいずれか一項に記載の中間領域空調システムにおいて、前記空気供給手段は、外気と同じ気温の空気を準備して中間領域に供給することを特徴とする。
【００１８】
請求項６に記載の発明によれば、空気供給手段が、外気と同じ気温の空気を準備して中間領域に供給するので、建物が幹線道路に面していて外気が汚れている場合や、外気に花粉が混ざっている場合等に、中間領域にそのような外気を供給するのを防止できる。
【００１９】
請求項７に記載の発明は、請求項１〜６のいずれか一項に記載の中間領域空調システムにおいて、
前記中間領域１０に、外気温を表示する情報表示機６が設けられており、
この情報表示機６に、前記外気温に基づいて、外出時の着衣量をアドバイスする機能が設けられていることを特徴とする。
【００２０】
請求項７に記載の発明によれば、外出しようとする利用者Ｍは中間領域１０で情報表示機６を確認することによって外気温を知ることができ、また、情報表示機６が外出時の着衣量をアドバイスするので、適切な服装を選択でき、ヒートショックの予防を行える。
【発明の効果】
【００２１】
本発明によれば、建物の外壁の内壁面に面して設けられた中間領域に、外気温と同じ温度の空気を供給可能な空気供給手段と、前記中間領域から外出する利用者を検出可能な利用者検出手段と、この利用者検出手段によって利用者が検出された際に、前記空気供給手段を作動させる制御手段とを備えている。したがって、利用者検出手段が中間領域から外出する利用者を検出した際に、制御手段が空気供給手段を作動させるので、この空気供給手段によって外気温と同じ温度の空気が前記中間領域に供給される。このため、中間領域の温度が外気温に近付いていくので、外気と中間領域との温度差が小さくなって、ヒートショックを効果的に和らげることができる。
また、空気供給手段は外気温と同じ温度の空気を中間領域に供給するので、利用者は外の気温を感じることができ、外出の際の心理的準備（心構え）を行える。
【図面の簡単な説明】
【００２２】
【図１】本発明に係る中間領域空調システムの一例を示すもので、その概略構成を示すブロック図である。
【図２】同、中間領域空調システムが導入された建物の要部を示す側断面図である。
【図３】同、中間領域空調システムが導入された建物の要部を示す平面図である。
【図４】同、中間領域空調システムの動作を示すフローチャートである。
【発明を実施するための形態】
【００２３】
以下、図面を参照して本発明に係る中間領域空調システムの一例について説明する。
図１は、中間領域空調システムの概略構成を示すブロック図である。この中間領域空調システムは、空気供給手段１、利用者検出手段２、制御手段３、温度検出手段４、ＩＤ読取機５、情報表示機６等を備えている。制御手段３は情報表示機６に組み込まれている。
【００２４】
空気供給手段１は、図２に示す中間領域１０に外気温と同じ温度の空気を供給可能なものであり、二つの送風ファン１ａ，１ｂを有している。
中間領域１０は、例えば、建物の室内と外部との間に、建物の外壁１１の内壁面に面して設けられた玄関１０であり、この玄関（中間領域）１０に隣接して室１２が設けられている。この室１２は例えばエアコン等によって、温度や湿度が所定の値に管理された空調室である。本実施の形態では、この室１２以外の室１３や図示しない他の部屋も温度や湿度が所定の値に管理された空調室となっている。
【００２５】
図３に示すように、玄関（中間領域）１０は、平面視において室１３側に窪む凹所１０ａを有しており、図２に示すように、この凹所１０ａに面する外壁１１に、上下に離間して二つの貫通孔が設けられており、上方の貫通孔に送風ファン１ａが設けられ、下方の貫通孔に送風ファン１ｂが設けられている。
上方の送風ファン１ａは一般的な大人の身長より高い位置に設けられ、下方の送風ファン１ｂは大人の胸とほぼ等しい高さ位置に設けられている。また、送風ファン１ａ，１ｂにはルーバ１ｃが設けられており、このルーバ１ｃは上下および左右に向きを変えられるようになっている。
そして、送風ファン１ａ，１ｂは回転することによって、外気を直接中間領域１０に圧力をかけて供給するとともに、ルーバ１ｃが利用者Ｍに向けられることによって、外気を利用者Ｍに向けて噴射するようになっている。
送風ファン１ａによって外気を噴射する場合、対象者は大人が好適であり、送風ファン１ｂによって外気を噴射する場合、対象者は子供が好適である。
また、送風ファン１ａ，１ｂが設けられた上下二つの貫通孔には、虫や花粉等の侵入を防止するフィルター１ｄ，１ｄが外壁１１の外面側から取り付けられている。
なお、前記送風ファン１ａ，１ｂ以外にも、これらの送風ファン１ａ，１ｂの動きに連動して、送風ファン１ａ，１ｂとは逆方向に作動するファンを外壁１１に取り付けてもよい。このファンによって中間領域１０の空気を外部に排出することができるので、密閉された中間領域１０の空気の入れ替え・吹出しを効率的に行うことができる。
【００２６】
前記利用者検出手段２は、中間領域１０から外出しようとする利用者Ｍを検出可能なものであり、中間領域１０の天井や壁上部等に取り付けられた人感センサ２ａを有している。また、利用者検出手段２は、玄関１０の外側の玄関ポーチに居る利用者Ｍや玄関ポーチに近付いてくる利用者を検出可能な人感センサ２ｂを有しており、この人感センサ２ｂは外壁１１の外面上部や玄関ポーチ上に位置する軒天、庇等に取り付けられている。
人感センサ２ａ，２ｂとしては、例えば、赤外線センサ、光センサ、超音波センサ等が用いられ、これら人感センサ２ａ，２ｂは制御手段３に接続されている。
制御手段３には空気供給手段１が接続されており、この制御手段３は、利用者検出手段２によって利用者Ｍが検出された際に、外気を中間領域１０に供給するために空気供給手段１の送風ファン１ａ，１ｂを作動させる制御を行うようになっている。
【００２７】
前記温度検出手段４は、３つの温度センサ４ａ，４ｂ，４ｃを有している。温度センサ４ａは中間領域１０の天井や壁上部等に取り付けられており、該中間領域１０の温度を計測するようになっている。温度センサ４ｂは前記室１２の天井や壁上部等に取り付けられており、該室１２の温度を計測するようになっている。温度センサ４ｃは、玄関１０に面する外壁１１の外面上部や玄関ポーチ上に位置する軒天、庇等に取り付けられており、該気温を計測するようになっている。
このような温度検出手段４は制御手段３に接続されており、制御手段３は、室内温度（室１２の温度）と外気温との温度差が所定値（例えば１０℃）以上になった際に、空気供給手段１の送風ファン１ａ，１ｂを作動させる制御を行うようになっている。すなわち、温度センサ４ｂによって計測された外気温のデータと、温度センサ４ｃによって計測された室内温度のデータとが制御手段３に入力され、この制御手段３によって室内温度と外気温との温度差が求められ、この温度差が所定値以上になったと判断されると、空気供給手段１の送風ファン１ａ，１ｂを作動させる制御を行うようになっている。
また、温度センサ４ａによって計測された中間領域１０の温度のデータも制御手段３に入力され、この制御手段３によって中間領域１０の温度と外気温との温度差が求められ、この温度差が所定値以上（例えば５℃）になったと判断されると、空気供給手段１の送風ファン１ａ，１ｂを作動させる制御を行うようになっている。
【００２８】
前記中間領域１０には、利用者Ｍの身体情報を取得する情報取得手段７が設けられている。この情報取得手段７は、ＩＤ読取機５、情報表示機６に設けられた情報記憶部８、制御手段３等によって構成されている。
ＩＤ読取機５としては、例えばＲＦＩＤ読取機が使用され、このＩＤ読取機５は中間領域１０の天井や壁上部等に取り付けられている。そして、ＩＤ読取機５は、利用者Ｍが携帯しているＲＦタグに記憶されている利用者ＭのＩＤ情報を非接触で読み取り、この読み取られたＩＤ情報が情報表示機６に設けられた制御手段３に入力されるようになっている。
一方、情報表示機６に設けられた情報記憶部８には、利用者ＭのＩＤ情報に対応付けて、利用者Ｍの身体情報が記憶されている。身体情報は、例えば利用者Ｍの年齢、性別、身長などの情報である。
そして、情報取得手段７では、ＩＤ読取機５によって読み取られた利用者ＭのＩＤ情報に対応する利用者Ｍの身体情報を情報記憶部８から読み出して、この身体情報が制御手段３に入力されるようになっている。
【００２９】
この制御手段３は、入力された利用者Ｍの身体情報に基づいて、空気供給手段１の送風ファン１ａ，１ｂによる空気の噴射箇所および噴射量を調整する制御を行う。
例えば、利用者Ｍの年齢が５歳以上でかつ身長が１５０ｃｍ未満の場合、下方の送風ファン１ｂを中速回転で回転させ、利用者Ｍの顔付近（首、頬、おでこ等）に向けて外気を噴射する。この際、利用者Ｍの身長に応じてルーバ１ｃの向きを制御して、利用者Ｍの顔に向ける。
また、利用者Ｍの年齢が５歳以上でかつ身長が１５０ｃｍ以上の場合、上方の送風ファン１ａを中速回転で回転させ、利用者Ｍの顔に向けて外気を噴射する。同様に、利用者Ｍの身長に応じてルーバ１ｃの向きを制御して、利用者Ｍの顔に向ける。
さらに、利用者Ｍの年齢が高齢（例えば７０歳以上）で１５０ｃｍ以上の場合、上方の送風ファン１ａを高速回転で回転させて、利用者Ｍの顔に向けて噴射する外気の噴射量を増やして、外気を感じ易いようにする。同様に、利用者Ｍの身長に応じてルーバ１ｃの向きを制御して、利用者Ｍの顔に向ける。
また、利用者Ｍが女性の場合で、顔に外気が噴射されるのを嫌がる場合、上方の送風ファン１ａを低速回転で回転させ、利用者Ｍの首から下に向けて外気を噴射する。この場合、ＲＦタグにその情報を記憶させておく。
なお、利用者Ｍの年齢が所定の年齢未満（例えば５歳未満）の場合、制御手段３は送風ファン１ａ，１ｂを作動させない制御を行う。
【００３０】
前記情報表示機６は、外壁１１の内壁面や玄関ドア等に取り付けられており、表示部６ａ、スピーカ６ｂ、通信手段６ｃを備えている。これらはそれぞれ制御手段３に接続されている。
制御手段３には、温度センサ４ｃによって計測された外気温の情報が入力され、この外気温の情報が表示部６ａに表示されるようになっている。
また、情報記憶部８には、外出時に着衣量をアドバイスする際の文字データと音声データが外気温の情報に対応付けられて記憶されている。例えば、外気温が５℃未満の情報に対応付けて、「厚手のコートをお勧めします」といった文字データと音声データが記憶され、外気温が５℃以上、１０℃未満の情報に対応つけて、「通常のコートをお勧めします」といった文字データと音声データが記憶され、外気温が１０℃以上、２０℃未満の情報に対応付けて、「軽めのジャケットをお勧めします」といった文字データと音声データが記憶されている。
そして、情報表示機６では、温度センサ４ｃによって計測された外気温が５℃未満の情報であれば、制御手段３が情報記憶部８から「厚手のコートをお勧めします」といった文字データと音声データを読み込んで、文字データを表示部６ａに表示し、音声データをスピーカ６ｂから報知するようになっている。
【００３１】
前記情報表示機６の通信手段６ｃはインターネットに接続されており、このインターネットに接続された天気情報提供会社のサーバ９に接続されるようになっている。そして、情報表示機６の制御手段３は、サーバ９から、インターネット、通信手段６ｃを介して利用者Ｍの所有する住宅（建物）の近傍の天気情報（天気、降水確率、外気温情報、花粉情報）等を取得して、表示部６ａに表示するようになっている。したがって、表示部６ａには、温度センサ４ｃによって計測された外気温と、サーバ９から取得した外気温との双方が表示される他、天気、降水確率、花粉情報等が表示されるようになっている。
【００３２】
次に、本発明に係る中間領域空調システムの動作について図４に示すフローチャートを参照して説明する。
まず、利用者Ｍは外出しようとする場合、玄関（中間領域）１０の凹所１０ａに、顔を外壁１１の内壁面側に向けて立つ。
すると、利用者検出手段２の人感センサ２ａが利用者Ｍを検出し、この検出情報が制御手段３に入力される。制御手段３では人感センサ２ａで利用者Ｍを検出したか否かを判断し（ステップＳ１）、検出した場合、ステップＳ２に移行し、外気温と空調室温（室１２の室温）との温度差が所定以上か否かを判断する。この判断は、温度センサ４ｂによって計測された外気温のデータと、温度センサ４ｃによって計測された室内温度のデータとが制御手段３に入力され、この制御手段３によって室内温度と外気温との温度差が求められ、この温度差が所定値以上になった否かで行われる。
【００３３】
外気温と空調室温との温度差が所定以上である場合、ステップＳ３に移行し、外気温と中間領域１０の温度差が所定以上か否かを判断する。この判断は、温度センサ４ｂによって計測された外気温のデータと、温度センサ４ａによって計測された中間領域１０の温度のデータとが制御手段３に入力され、この制御手段３によって外気温と中間領域１０の温度の温度差が求められ、この温度差が所定値以上になった否かで行われる。
【００３４】
外気温と中間領域１０の温度差が所定値以上である場合、ステップＳ４に移行し、利用者Ｍの身体情報取得が行われる。これは、ＩＤ読取機５によって読み取られた利用者ＭのＩＤ情報に対応する利用者Ｍの身体情報を情報記憶部８から読み出して、この身体情報が制御手段３に入力されることで行われる。
【００３５】
次に、ステップＳ５に移行して、空気の噴射箇所および空気量の設定を行う。これは、制御手段３に入力された利用者Ｍの身体情報に基づいて、制御手段３が空気供給手段１の送風ファン１ａ，１ｂによる空気の噴射箇所および噴射量を調整して設定する。
例えば、利用者Ｍの年齢が５歳以上でかつ身長が１５０ｃｍ以上の場合、上方の送風ファン１ａを選択し、この送風ファン１ａを中速回転で回転させ、利用者Ｍの顔に向けて外気を噴射するような設定を行う。
次に、ステップＳ６に移行して、送風ファン１ａを作動させる。つまり、上方の送風ファン１ａを中速回転で回転させ、利用者Ｍの顔に向けて外気を噴射する。この際、利用者Ｍの身長に応じてルーバ１ｃの向きを制御して、利用者Ｍの顔に向ける。
これによって、利用者Ｍは外気温を直接感じることができる。したがって、利用者は中間領域で、外気温に応じて服装の調整を行えるので、ヒートショックの予防を行える。
なお、送風ファン１ａの動きに連動して、図示しなしファンが送風ファン１ａとは逆方向に作動し、これによって、中間領域１０の空気を外部に排出することにより、密閉された中間領域１０の空気の入れ替え・吹出しを効率的に行うことができる。
【００３６】
次に、ステップＳ７に移行して、中間領域１０の温度が適切か否かを判断する。この判断は、温度センサ４ａによって計測された中間領域１０の温度のデータと、温度センサ４ｂによって計測された外気温のデータと、温度センサ４ｃによって計測された室内温度のデータとが制御手段３に入力され、この制御手段３によって外気温と中間領域１０の温度との温度差、中間領域１０と室内温度との温度差がそれぞれ求められ、これらの温度差どうしが等しいか否かで行われる。これらの温度差どうしが等しい場合、中間領域１０の温度は室内温度と外気温との中間の温度であるので、これを中間領域１０の温度が適切であると判断し、ステップＳ８に移行して送風ファン１ａを停止させる。これに伴い前記ファンも停止する。
一方、中間領域１０の温度が適切でない場合、つまり、前記温度差どうしが等しくない場合、ステップＳ６に戻り、温度差どうしが等しくなるまで送風ファン１ａを作動させ、温度差どうしが等しくなったら送風ファン１ａを停止させる。
なお、送風ファン１ａの作動だけでは、不十分な場合、制御手段３が送風ファン１ｂも作動させる。
【００３７】
また、前記ステップＳ２で外気温と空調室温との温度差が所定値以上である場合、情報表示機６が動作する。すなわち、ステップＳ９に移行し、外気温が表示部６ａに表示される。これは、制御手段３に、温度センサ４ｃによって計測された外気温の情報が入力され、この外気温の情報が表示部６ａに表示されることで行われる。また、外部の天気情報提供会社のサーバ９からインターネットを介して取得した外気温も表示部６ａに表示される。
【００３８】
次に、ステップＳ１０に移行して、利用者Ｍに情報表示機６によって着衣量のアドバイスが行われる。これは、例えば、温度センサ４ｃによって計測された外気温が５℃未満の情報であれば、制御手段３が情報記憶部８から「厚手のコートをお勧めします」といった文字データと音声データを読み込んで、文字データを表示部６ａに表示し、音声データをスピーカ６ｂから報知することで行われる。
このようにして外出しようとする利用者Ｍは中間領域１０で情報表示機６の表示部６ａを確認することによって外気温を知ることができ、また、情報表示機６が外出時の着衣量をアドバイスするので、適切な服装を選択でき、ヒートショックの予防を行える。
【００３９】
次に、外部から利用者Ｍが建物に入る場合について説明する。
まず、利用者Ｍが玄関前の玄関ポーチに近付くと、利用者検出手段２の人感センサ２ｂが利用者Ｍを検出し、この検出情報が制御手段３に入力される。制御手段３では人感センサ２ｂで利用者Ｍを検出したか否かを判断し、検出した場合、外気温と空調室温との温度差が所定以上か否かを判断する。この判断は、温度センサ４ｂによって計測された外気温のデータと、温度センサ４ｃによって計測された室内温度のデータとが制御手段３に入力され、この制御手段３によって室内温度と外気温との温度差が求められ、この温度差が所定値以上になった否かで行われる。
【００４０】
外気温と空調室温との温度差が所定以上である場合、次に外気温と中間領域１０の温度差が所定以上か否かを判断する。この判断は、温度センサ４ｂによって計測された外気温のデータと、温度センサ４ａによって計測された中間領域１０の温度のデータとが制御手段３に入力され、この制御手段３によって外気温と中間領域１０の温度差が求められ、この温度差が所定値以上になった否かで行われる。
【００４１】
外気温と中間領域１０の温度差が所定値以上である場合、送風ファン１ａ，１ｂを作動させて、中間領域１０の温度を外気温に近づけていく。なお、同時に前記ファンが作動して中間領域１０の空気を外部に排気する。
次に、中間領域１０の温度が適切か否かを判断する。この判断は、温度センサ４ａによって計測された中間領域１０の温度のデータと、温度センサ４ｂによって計測された外気温のデータと、温度センサ４ｃによって計測された室内温度のデータとが制御手段３に入力され、この制御手段３によって外気温と中間領域１０の温度との温度差、中間領域１０と室内温度との温度差がそれぞれ求められ、これらの温度差どうしが等しいか否かで行われる。これらの温度差どうしが等しい場合、中間領域１０の温度は室内温度と外気温との中間の温度であるので、これを中間領域１０の温度が適切であると判断し、送風ファン１ａ，１ｂを停止させる。なお、これに連動して前記ファンも停止する。
一方、中間領域１０の温度が適切でない場合、つまり、前記温度差どうしが等しくない場合、この温度差どうしが等しくなるまで送風ファン１ａ，１ｂを作動させ、温度差どうしが等しくなったら送風ファン１ａ，１ｂを停止させる。
このような送風ファン１ａ，１ｂの制御は、利用者Ｍが玄関ポーチに立つ前に終了し、利用者Ｍが玄関前に立った際は、中間領域１０の温度は適切な温度、つまり、室内温度と外気温との中間の温度であるので、外気と中間領域１０との温度差が小さくなる。したがって、外部から中間領域１０に入ってきた利用者のヒートショックを効果的に和らげることができる。
【００４２】
本実施の形態によれば、利用者検出手段２の人感センサ２ａが中間領域から外出する利用者Ｍを検出した際に、制御手段３が空気供給手段１の送風ファン１ａ，１ｂを作動させるので、この送風ファン１ａ，１ｂによって外気が中間領域１０に供給される。このため、中間領域１０の温度が外気温に近付いていくので、外気と中間領域１０との温度差が小さくなって、ヒートショックを効果的に和らげることができる。
また、空気供給手段１は外気を中間領域１０に供給するので、利用者Ｍは外気温を感じることができ、外出の際の心理的準備（心構え）を行える。
さらに、利用者Ｍを検出した際に、制御手段３が空気供給手段１を作動させるので、空気供給手段１は必要時にだけ稼働することになり、空調負担を減らすことができる。
【００４３】
また、送風ファン１ａ，１ｂによって中間領域１０の凹所１０ａに外気を噴射して供給するようにしたので、凹所１０ａに外気が集中的に供給される。したがって、凹所１０ａの温度がより早く外気温に近付いていくので、外気と凹所１０ａとの温度差が小さくなって、この凹所１０ａに立つ利用者Ｍのヒートショックを効果的に和らげることができる。
また、室内温度と外気温との温度差が所定値以上になった際に、制御手段３が空気供給手段１を作動させるので、冬季等のように、室内温度と外気温との温度差が大きくなって、所定値以上になった場合に、空気供給手段１が作動する一方、室内温度と外気温との温度差が小さい場合、空気供給手段１は作動しない。したがって、空気供給手段１を効率的に作動させることができる。
【００４４】
さらに、空気供給手段１が外気を利用者に向けて噴射するので、利用者は外気温を直接感じることができる。したがって、利用者は中間領域１０で、外気温に応じて服装の調整を行えるので、ヒートショックの予防を行える。
加えて、制御手段３は、情報取得手段７によって取得された利用者Ｍの身体情報に基づいて、空気供給手段１による空気の噴射箇所および噴射量を調整可能であるので、利用者Ｍの年齢、身長、性別等に応じて、利用者Ｍに最適位置から最適量の空気を噴射することができる。したがって、利用者Ｍは外気温を適切に直接感じることができるので、より確実にヒートショックの予防を行える。
また、空気供給手段１が外気を直接中間領域１０に供給するので、簡単に外気温と同じ温度の空気を中間領域に供給できる。
また、外出しようとする利用者Ｍは中間領域１０で情報表示機６の表示部６ａを確認することによって外気温を知ることができ、また、情報表示機６の表示部６ａやスピーカ６ｂが文字や音声によって外出時の着衣量をアドバイスするので、適切な服装を選択でき、ヒートショックの予防を行える。
【００４５】
なお、本実施の形態では、空気供給手段１によって外気を直接中間領域１０に供給するようにしたが、空気供給手段は、外気を直接中間領域１０に供給するのではなく、外気と同じ気温の空気を準備して中間領域１０に供給するように構成してもよい。
この場合、例えば、空気供給手段を、熱交換器と複数のファンを備えた構成とし、人感センサ２ａが利用者Ｍを中間領域１０で検出した際に、ファンによって中間領域の空気と外気とを熱交換器に送り込み、この熱交換機で中間領域の空気と外気との間で非接触状態で熱交換を行うことによって、外気とほぼ等しい温度になった空気を準備し、この空気を再び中間領域に噴射するようにすればよい。
このようにすれば、建物が幹線道路に面していて外気が汚れている場合や、外気に花粉が混ざっている場合等に、中間領域にそのような外気を供給するのを防止できる。
また、本実施の形態では空気供給手段１を上下二つの送風ファン１ａ，１ｂによって構成したが、外壁１１の下端部にさらに送風ファンを設け、この送風ファンによって利用者Ｍの足首等にも外気を噴射できるようにしてもよい。
【符号の説明】
【００４６】
１  空気供給手段
２  利用者検出手段
３  制御手段
４  温度検出手段
５  ＩＤ読取機
６  情報表示機
７  情報取得手段
８  情報記憶部
１０  中間領域
１１  外壁
１２  室
【図１】
0005444101.tif 000002
【図２】
0005444101.tif 000003
【図３】
0005444101.tif 000004
【図４】
0005444101.tif 000005